(57)【特許請求の範囲】
【請求項１】
被災者の人体を吊り上げるときに用いる救助用具である被災者用装着バンドであって、
人体の上半身を抱持する胸バンド部と、人体の両足部を保持する足バンド部とから構成され、
前記胸バンド部は、両端にリングを有し人体の上半身を背中から支持する胸ベルトを備え、前記胸ベルトの中間位置に所定間隔を置いて設けられた第一連結具と第二連結具とを備え、前記第一連結具または第二連結具の少なくとも一方に長さ調節具を備えており、
前記足バンド部は、基端にリングを備えた足ベルトに、先端側に双方向に分離した輪状の２ケの大環部が設けられ、２ケの前記大環部の輪状径を調節するスライド具を備えており、
前記第一連結具と第二連結具の連結と前記胸ベルトで人体の上半身を抱持し、前記足バンド部の大環部で人体の両足部を各々保持して、前記胸バンド部の両端のリングと前記足バンド部の基端のリングで３点吊りをなし、前記長さ調節具で上半身を締め付け、前記スライド具で人体両足部の輪状径を小径として、被災者の緊縛を保つよう構成された被災者用装着バンド。
【請求項２】
前記足バンド部が、複数の長孔を有するスライド具を備え、２ケの前記大環部が前記スライド具の複数の長孔の何れかにそれぞれ挿通されており、
人体の両足が２ケの前記大環部の輪状部にそれぞれ挿入された後、スライド具により輪状部を小径に絞ることにより両足部を緊縛するように構成されたことを特徴とする請求項１に記載の被災者用装着バンド。
【請求項３】
前記足バンド部が、２ケのスライド具を備え、２ケの前記大環部に２ケの前記スライド具がそれぞれ挿通されており、
人体の両足が２ケの前記大環部の輪状部にそれぞれ挿入された後、スライド具により輪状部を小径に絞ることにより両足部を緊縛するように構成されたことを特徴とする請求項１に記載の被災者用装着バンド。
【請求項４】
前記第一連結具が、第一ベルトと、掛止部を有するフックとから成り、第一ベルトの一端にフックが縫着されており、第一ベルトの他端が前記胸ベルトの中央から所定距離の位置に縫着されており、
前記第二連結具が、第二ベルトと、前記フックが掛止される連結リングとから成り、第二ベルトの一端に前記連結リングが縫着されており、第二ベルトの他端が前記胸ベルトの中央から所定距離の位置であり、かつ第一ベルト縫着部と相対する位置に縫着されていることを特徴とする請求項１に記載の被災者用装着バンド。
【請求項５】
前記第一連結具が、第一ベルトと、バックル本体または前記バックル本体が係脱されるタングプレートのいずれかとから成り、第一ベルトの一端にバックル本体またはタングプレートのいずれかが縫着されており、第一ベルトの他端が前記胸ベルトの中央から所定距離の位置に縫着されており、
前記第二連結具が、第二ベルトと、タングプレートまたはバックル本体とからから成り、第二ベルトの一端に前記タングプレートまたはバックル本体が縫着されており、第二ベルトの他端が前記胸ベルトの中央から所定距離の位置であり、かつ第一ベルト縫着部と相対する位置に縫着されていることを特徴とする請求項１に記載の被災者用装着バンド。
【請求項６】
前記胸バンド部の胸ベルトの色と、前記足バンド部の足ベルトの色と、前記第一連結具及び第二連結具の色とが、それぞれの全部又は一部が異なることを特徴とする請求項１乃至請求項５に記載の被災者用装着バンド。
【発明の詳細な説明】
【技術分野】
【０００１】
本発明は、被災者等の人体を吊り上げるときに用いる救助用具に関するものであり、特には、山岳地帯における遭難者等の被災者を、ヘリコプターに吊り上げて救出するときに用いる被災者用装着バンドに関する。
【背景技術】
【０００２】
山岳地や海で遭難したり負傷して動けなくなった被災者や、ビル火災で取り残された被災者の救助方法として、ヘリ（ヘリコプター）を用い被災者を吊り上げて救出する方法がある。これら何れのケース（現場）でも、被災者を一刻も早く、かつ安全に救出することが求められている。
【０００３】
特に山岳地帯における遭難者の救助は、救助者（レスキュー隊員等）がヘリより降下して被災者（要救助者）を救出するのではなく、自らが険しい山に登って被災者を発見し、ヘリの到着を待って被災者を引き上げなければならないこともある。
【０００４】
このような被災者等の人体を吊り上げるときに用いる救助用具は、担架方式、ハーネス方式等が各種開示されており、例えば、特許文献１の「緊急搬送用携帯ハーネス」や特許文献２の「災難救助具」がある。この特許文献１はヘリによる吊り上げ救助の他に、担架搬送と背負い搬送による救助が可能であり、特許文献２も、ヘリによる吊り上げ救助の他に、背負い搬送による救助が可能であるが、それら複数機能を有するが故に、複雑で大きく、かつ重くなる。従って、救助者がヘリより降下して被災者を救出する場合は使用できるが、山岳地帯へ携行するものとしては重装備となってしまい使用しづらいものである。また、これら従来品は、複雑であるが故に、装着に時間が掛かり、コストもアップしてしまう。
【０００５】
更に技術分野が違うが、人体を吊り上げるときに用いる簡易型装着具として、特許文献３に開示されている「臀部保持型吊具」がある。この発明は、ベルト４本で構成されており軽量・コンパクトであるが、人体固定の手段が確実ではなく、安全性が劣り、本発明の技術分野で実施できるものではない。
【先行技術文献】
【特許文献】
【０００６】
【特許文献１】実開平１−１７２８５５号公報
【特許文献２】実開平１−１４０９６５号公報
【特許文献３】特開２０００−１４００２３号公報
【発明の概要】
【発明が解決しようとする課題】
【０００７】
本発明が解決しようとする主な問題点は、従来の救助用具では、救助者がヘリより降下して被災者を救出する場合は使用できるが、山岳地帯へ携行するものとしては重装備となってしまう点であり、複雑であるが故に装着に時間が掛かり、コストもアップしてしまう点である。また、従来の簡易型装着具では、人体固定の手段が確実ではなく、安全性が劣る点である。
【０００８】
そこで本発明は、吊り上げ時の人体保持に必要な強度と安全性を有し、人体固定の手段（被災者への装着）が確実・容易に行え、かつ軽量・コンパクトで山岳地帯への携行が容易であり、更に廉価な被災者用装着バンドの提供を目的としている。
【課題を解決するための手段】
【０００９】
上記目的を達成するため、本発明は、被災者用装着バンドを人体の上半身を抱持する胸バンド部と人体の両足部を保持する足バンド部とで構成する。胸バンド部は、両端にＤ環等のリングを有する胸ベルトに、第一連結具と第二連結具とを胸ベルトの中間位置に所定間隔を置いて設け、更に第一連結具または第二連結具の少なくとも一方に長さ調節具を設ける。足バンド部は、基端にリングを備えた足ベルトに、先端側に双方向に分離するように折り返して輪状を形成した２ケの大環部を設け、２ケの大環部の輪状径を調節するスライド具を備える。被災者の人体に装着するときは、胸ベルトの中央部分と、第一連結具と第二連結具との連結で人体の上半身を抱持して、長さ調節具で締め付けることにより上半身を緊縛し、足バンド部の大環部が人体の両足部を各々保持して、スライド具がその両足部を緊縛する。このように装着することで、被災者の人体が固定できる。被災者の人体を吊り上げるときは、胸バンド部の両端のリングと足バンド部の基端のリングとで３点吊りをなすことにより、吊り上げ時の姿勢が安定する。
【００１０】
前記の足バンド部は、複数の長孔を有するスライド具を備え、２ケの大環部をスライド具の複数の長孔の何れかにそれぞれ挿通し、人体の両足を２ケの大環部の輪状部にそれぞれ挿入した後、スライド具により輪状部を小径に絞ることにより両足部を緊縛するように構成している。これによって、人体の両足が容易に仮固定でき、被災者が気を失っていたとしても両足部が抜けることがない。また、足バンド部の輪を大きくすることにより冬靴など大きな靴を履いた状態で装着ができる。
また、この足バンド部を、別体の２ケのスライド具を備え、２ケの大環部に２ケのスライド具をそれぞれ挿通し、人体の両足を２ケの大環部の輪状部にそれぞれ挿入した後、スライド具により輪状部を小径に絞ることにより両足部を緊縛するように構成してもよい。
【００１１】
前記の第一連結具は、第一ベルトと、掛止部を有するフックとから構成し、第一ベルトの一端にフックを縫着し、第一ベルトの他端は胸ベルトの中央から所定距離の位置に縫着する。次に、前記の第二連結具は、第二ベルトと、フックが掛止される大きめのＤの字環等の連結リングとから構成し、第二ベルトの一端に連結リングを縫着し、第二ベルトの他端は胸ベルトの中央から所定距離の位置であり、かつ第一ベルト縫着部と相対する位置に縫着する。これによって、第一連結具と第二連結具との連結は、連結リングにフックを掛止することにより容易に行える。
また、この第一連結具にワンタッチバックルの一方であるバックル本体を設け、第二連結具にワンタッチバックルの他方であるタングプレートを設け、第一連結具と第二連結具とを連結してもよい。
【００１２】
ここで、胸バンド部の胸ベルトの色と、足バンド部の足ベルトの色と、第一連結具及び第二連結具の色とを、それぞれの全部又は一部が異なるようにする。これによって、雪山で視界が悪いときや、雪や泥が付着したときでも、それぞれの識別が容易となる。
【発明の効果】
【００１３】
本発明の被災者用装着バンドは、ヘリによる吊り上げ専用とすることで、軽量・コンパクトなものとなり、山岳地帯への携行が容易となる。胸バンド部は、被災者が座った状態、あるいは少し持ち上げるのみで装着が可能であり、足バンド部は、足バンド部の輪を大きくすることにより冬靴など大きな靴を履いた状態でも装着ができ、胸バンド部の第一連結具及び第二連結具は、大きめの連結リングにフックを掛止、あるいはワンタッチバックルにより連結して、長さ調節具で締め付けることにより片手で素早く上半身を強固に緊縛することが可能であり、足バンド部のスライド具で輪状部を小径に絞ることにより両足部を強固に緊縛することができるので、人体固定の操作（被災者への装着）が確実・容易に行え、救助者一人でも装着が可能であり、救助時間の短縮ができる。
【００１４】
更に、吊り上げるときは、胸バンド部の両端と足バンド部の端部の３点で安定した３点吊りができるので、安定した状態で被災者を保持できる。また、胸バンド部の胸ベルトの色と足バンド部の足ベルトの色と第一連結具及び第二連結具の色とが違っており、それぞれを容易に識別できるので、誤装着をすることがない。また、本発明の被災者用装着バンドは、部品点数が少ないので、廉価での製作が可能となる。
【図面の簡単な説明】
【００１５】
【図１】本発明の実施例１に係る被災者用装着バンドＡを示した構成説明図である。
【図２】本発明の実施例１に係る胸バンド部１を示した正面図、底面図及び背面図である。
【図３】本発明の実施例１に係るフック１１２と連結リング１２２の連結方法を示した説明図である。
【図４】本発明の実施例１に係る長さ調節具１３の構成及び使用方法を示した説明図である。
【図５】本発明の実施例１に係る足バンド部２を示した正面図、底面図及び要部拡大断面図である。
【図６】本発明の実施例１の吊り上げ状態を示した説明図である。
【図７】本発明の実施例２−１に係る胸バンド部３を示した正面図、底面図及び背面図である。
【図８】本発明の実施例２−１の変形例である実施例２−２に係る胸バンド部４を示した正面図及び底面図である。
【図９】本発明の実施例３に係る足バンド部５を示した正面図、底面図及び要部拡大断面図である。
【図１０】本発明の実施例４に係る足バンド部６を示した正面図、底面図及び要部拡大断面図である。
【発明を実施するための形態】
【実施例１】
【００１６】
以下、図面を参照しつつ本発明に係る実施の形態について説明する。図１は本発明の実施例１に係る被災者用装着バンドＡを示した構成説明図である。図１に示すように、被災者用装着バンドＡは、人体の上半身を抱持する胸バンド部１と、人体の両足部を保持する足バンド部２と、それらを連結しヘリの吊り上げ用ワイヤと接続するカラビナ７で構成される。また、図６は被災者用装着バンドＡの吊り上げ状態を示した説明図である。この吊り上げ状態については後述する。
【００１７】
図２（ａ）から（ｃ）は、本発明の実施例１に係る胸バンド部１を示した正面図、底面図及び背面図である。これらの図に示すように、胸バンド部１は、両端にリング１０１，１０１を有する胸ベルト１０と、第一連結具１１と、第二連結具１２と、長さ調節具１３と、補助ベルト１４とから構成される。
【００１８】
この胸ベルト１０の素材は安全帯等に用いられるベルトであり、その両端にリング１０１，１０１が縫着されている。図６のように被災者を吊り上げるとき、この胸ベルト１０と両端のリング１０１，１０１に主たる荷重が加わることとなるので、それらには、十分な強度と耐久性が要求される。具体的には、胸ベルト１０は幅４０〜６０ｍｍのナイロン製のベルトであり、リング１０１は、安全帯等に用いられる鉄製のＤ環（Ｄの字状の環）であり、それらを強固に縫着している。ここで、リング１０１は、胸ベルト１０を折り返して縫製するため、縫製加工がし易いように一辺が直線状であるＤ環を用いるが、形状は特定するものではなく、カラビナのように開口部があってもよく、必要な強度と耐久性があればよい。
【００１９】
第一連結具１１と第二連結具１２は、それらを連結して人体の上半身を抱持するものであり、本実施例ではＤの字の環である連結リング１２２にフック１１２を掛止して連結する手法である。先ず、第一連結具１１は第一ベルト１１１と掛止部を有するフック１１２とから成り、第一ベルト１１１の一端にフック１１２の端部を縫着し、第一ベルト１１１の他端を胸ベルト１０の中央から所定距離の位置に縫着する。次に、第二連結具１２は第二ベルト１２１とフック１１２が掛止される大きめのＤの字環である連結リング１２２とから構成し、第二ベルト１２１の一端に連結リング１２２を縫着し、第二ベルト１２１の他端は胸ベルト１０の中央から所定距離の位置であり、かつ第一ベルト１１１の縫着部と相対する位置に縫着する。ここで、胸ベルト１０に第一ベルト１１１と第二ベルト１２１とを縫着する位置は、胸ベルト１０の中央部分と、第一連結具１１と第二連結具１２との連結で人体の上半身を抱持できる位置である。
【００２０】
図３（ａ）から（ｃ）は、本発明の実施例１に係るフック１１２と連結リング１２２の連結方法を示した説明図である。このように、第一連結具１１と第二連結具１２との連結は、連結リング１２２にフック１１２を掛止することにより容易に行える。また、連結リング１２２はフック１１２が掛止可能な内径に比して、かなり大きい内径である。これによって、例えば、山岳地の傾斜面等で被災者を介助しながらであっても、吹雪等で視界が悪いときであっても、片手でフック１１２が容易に掛止できる。また、かじかんだ手や分厚い手袋を履いていてもフック１１２の掛止が容易である。
【００２１】
更に、第一連結具１１または第二連結具１２の少なくとも一方に長さ調節具１３を設けることにより、片手で素早く上半身の締め付けが可能となり、強固に緊縛できる。ここで、長さ調節具１３は、第一連結具１１の第一ベルト１１１、または第二連結具１２の第二ベルト１２１の何れかで、ベルト長さの長い方に設けることが望ましい。ベルト長さが同等の場合は、その両方に設けてもよい。
【００２２】
図４（ａ）と（ｂ）は本発明の実施例１に係る長さ調節具１３の構成及び使用方法を示した説明図である。これらの図に示すように、長さ調節具１３は第一口字金具１３１と第二口字金具１３２とから成り、第一ベルト１１１或いは第二ベルト１２１の中間に、一方を固定状態とし他方を挿通状態として、配置されている。
【００２３】
ここで、説明の都合上、第一ベルト１１１或いは第二ベルト１２１の中間部を、固定端１１ａと挿通端１１ｂとして説明する。固定端１１ａは、第一口字金具１３１と第二口字金具１３２の各々の口の字状の透孔にベルトを通した後、そのベルトを縫合して形成されている。挿通端１１ｂは、ベルトを第二口字金具１３２の透孔に挿通し、第一口字金具１３１の透孔に挿通した後に、外側より再度、第二口字金具１３２の透孔に挿通して形成されている。
【００２４】
図４（ａ）は、長さ調節具１３を締め付けた状態図である。この長さ調節具１３は、挿通端１１ｂのベルト端部を引いて締め付け状態とし、そこに引っ張り方向の荷重が加わったとき、抜けようとするベルト端部を荷重の加わったベルトが押さえることにより簡単に滑ることはない。従って、救助者は容易に被災者の上半身を締め付けて、上半身の抱持を強固にすることができる。これによって、例えば、山岳地の傾斜面等で被災者を介助しながらでも片手でも締め付けができ、かじかんだ手や分厚い手袋を履いていても締め付けが容易である。また、図４（ｂ）は、その締め付けを解放するときの状態図である。第一口字金具１３１の透孔に挿通した部分のベルトを緩めることにより、上半身の締め付けを解放することができる。
【００２５】
この長さ調節具１３により被災者の上半身を締め付けて抱持することは、被災者を吊る際の保持（仮固定）が目的であり、主たる荷重は、胸ベルト１０と両端のリング１０１，１０１に加わる。従って、それらのような強度が要求されるわけではないが、凍結時であっても容易に破損したり、機能を失ってはならない。具体的な材質としては、鉄製やアルミ製等の金属が望ましい。また、長さ調節具１３に第一口字金具１３１と第二口字金具１３２を用いる手法は一例であり、スライド式のバックルや爪式のバックル等、ベルト長さを調整できるものであればよい。
【００２６】
また、胸バンド部１はクッション材である補助ベルト１４を備えることが望ましい。吊り上げられる被災者に柔らかく接触するだけではなく、幅広の補助ベルト１４により、安定した体勢で吊り上げることができる。
【００２７】
本実施例において、第一連結具１１と第二連結具１２は、それぞれ第一ベルト１１１と第二ベルト１２１を有しているが、フック１１２または連結リング１２２を、胸ベルト１０に直接縫製（直付け）してもよい。
また、第一連結具１１の第一ベルト１１１と第二連結具１２の第二ベルト１２１に頑丈なベルトを用い、胸ベルト１０を二分割して、それぞれを第一ベルト１１１と第二ベルト１２１に縫着してもよい。但し、このときは前記の主たる荷重に耐えうる縫着強度が必要である。
【００２８】
図５（ａ）から（ｃ）は、本発明の実施例１に係る足バンド部２を示した正面図、底面図及び要部拡大断面図である。これらの図に示すように、足バンド部２は、基端にリング２１１を備え、先端側に双方向に分離するように折り返して輪状を形成した２ケの大環部２１２，２１２を設けた足ベルト２１と、スライド具２２とから構成される。
【００２９】
足バンド部２は図５（ｂ）において上下対称であり、足ベルト２１は、そのベルトの中央部を折り返し、当該折り返し部にリング２１１を挟んでベルト２枚を縫合し、次に各々の先端部を内側へそれぞれ折り返して２ケの大環部２１２，２１２を形成し、スライド具２２を挿入した後、ベルト４枚を縫合（図面中央部参照）している。図６のように被災者を吊り上げるとき、この足ベルト２１（２ケの大環部２１２，２１２）とリング２１１に足部の荷重が加わることとなるので、それらには、十分な強度と耐久性が要求される。具体的には、足ベルト２１は胸ベルト１０と同じ程度の幅４０〜６０ｍｍのナイロン製のベルトであり、リング２１１もリング１０１と同じ安全帯等に用いられる鉄製のＤ環（Ｄの字状の環）であり、それらを強固に縫着している。
【００３０】
ここで、リング２１１は、足ベルト２１を折り返して縫製するため、加工し易いように一辺が直線状であるＤ環を用いるが、形状は特定するものではなく、カラビナのように開口部があってもよく、必要な強度と耐久性があればよい。但し、吊り上げ時の安定性を考慮すると、リング１０１と同じ大きさのものが好ましい。また、２ケの大環部２１２，２１２の大きさは、冬靴など大きな靴を履いた状態で装着ができる大きさであり、足バンド部２の長さは、人体を吊り上げたときに安定した姿勢になるよう、胸バンド部１との吊りしろ（吊り上げ時の余長長さ）を合わせた長さである。
【００３１】
図５（ｃ）に示すように、スライド具２２は、２ケの長孔を有する日の字状であり、２ケの大環部２１２，２１２をスライド具２２の２ケの長孔２２１，２２１にそれぞれ挿通し、人体の両足を２ケの大環部２１２，２１２の輪状部にそれぞれ挿入した後、スライド具２２で輪状部を小径に絞ることにより両足部を緊縛することができる。これによって、人体の両足が容易に仮固定でき、更に、足バンド部２の輪を大きくすることにより冬靴など大きな靴を履いた状態でも装着ができる。また、このスライド具２２に足ベルト２１のような強度は必要とされないので、凍結時であっても容易に割れずに、機能を失うものでなければよい。具体的な材質としては、樹脂や鉄・アルミ等の金属のものが用いられる。
【００３２】
スライド具２２の２ケの長孔２２１，２２１に、それぞれ２枚の足ベルト２１，２１が入った状態でスライドする必要があるが、好ましくは、スライド具２２の長孔２２１に２枚の足ベルト２１，２１を入れたときのクリアランスを、できる限り小さくすることが望ましい。これにより、２枚の足ベルト２１，２１はスライド具２２の長孔２２１をスライド可能であるが、足ベルト２１の剛性により、大環部２１２，２１２の輪状部の端部から脱落し難い構成とすることができる。実際には、スライド具２２の長孔２２１の幅を、２枚の足ベルト２１の厚さに近づけることにより、脱落することはない。但し、２ケの大環部２１２，２１２を縫製した後で、スライド具２２を取り付けることはできないので、縫製前に予め取り付けてから縫製する必要がある。
【００３３】
図６は、本発明の実施例１の吊り上げ状態を示した説明図である。ここで、図６を参照しながら被災者用装着バンドＡの装着手順を整理する。先ず、救助者は、胸バンド部１を被災者の背中に回し、連結リング１２２にフック１１２を掛止して第一連結具１１と第二連結具１２を連結する。次に、足バンド部２の大環部２１２，２１２の輪状部を人体の両足部に各々挿通する。そして、胸バンド部１の長さ調節具１３を締め付け、被災者の上半身の抱持を強固にし、足バンド部２のスライド具２２で輪状部を小径に絞ることにより両足部を緊縛する。
【００３４】
図６に示すように、救助者は、被災者に装着した被災者用装着バンドＡの胸バンド部１両端のリング１０１，１０１と足バンド部２基端のリング２１１とをカラビナ７で連結した後、ヘリの救助用ワイヤの端部にカラビナ７を連結して被災者を吊り上げる。図示していないが、このとき通常は、救助者が被災者をサポート（同伴）して、一緒にヘリまで吊り上げてもらう。また、救助者が同伴せずに、被災者のみで吊り上げる必要のあるときは、ロープ等で固縛して足バンド部２を完全固定し、好ましくは胸バンド部１もロープ等で固縛してから吊り上げる。
【００３５】
このように、本発明の被災者用装着バンドＡは、胸バンド部１の両端のリング１０１，１０１と足バンド部２の基端のリング２１１との３点で、安定した３点吊りができるので、安定した状態で被災者を保持できる。また、従来例のような担架方式やハーネス方式とは違い、胸バンド部１と足バンド部２がベルトを主たる構成品とした細長状であるので、被災者が座った状態のまま、あるいは少し持ち上げるのみで装着が可能であり、救助者一人でも装着が可能である。救助者二人のときも、救助時間が短縮できる。更に、胸バンド部１の長さ調節具１３の締め付けによる上半身の抱持と、足バンド部２のスライド具２２で輪状部を小径に絞ることによる両足部の緊縛が、確実・容易に行え、救助時間が短縮できる。
【００３６】
更に、本発明の被災者用装着バンドＡは、胸バンド部１の胸ベルト１０の色と、足バンド部２の足ベルト２１の色と、第一連結具１１及び第二連結具１２の色とを、それぞれの全部又は一部が異なるように配色している。これによって、悪天候の雪山等で視界が悪いときや、雪や泥が付着したときでも、それぞれの識別が容易となり、誤装着することがない。また、被災者自身が装着する場合でも容易に識別して装着できる。
【００３７】
また、本発明の被災者用装着バンドＡは、構成する部品点数が少ないので、廉価での製作が可能であり、軽量・コンパクトであるので、山岳地帯への携行も容易である。
尚、胸バンド部１と足バンド部２を別体で携行してもよいが、山岳地の傾斜面等での落ち止めとして、図１に示すようにしてカラビナ７で連結することが望ましい。但し、カラビナ７は必須ではなく、開口部を備えた連結具であればよい。
【実施例２】
【００３８】
以下、本発明の実施例２について説明する。上記実施例１と説明の重複する部分については同一の符号を付して説明を省略し、実施例１に対し、実施例２のうち差異を有する構造のみについて説明する。
【００３９】
＜実施例２−１＞
本発明の実施例２−１に係る被災者用装着バンドＢ１は、胸バンド部３と、足バンド部２と、カラビナ７とで構成される。ここで、足バンド部２とカラビナ７は実施例１と共通である。
【００４０】
図７（ａ）から（ｃ）は、本発明の実施例２−１に係る胸バンド部３を示した正面図、底面図及び背面図である。これらの図に示すように、胸バンド部３は、両端にリング１０１，１０１を有する胸ベルト１０と、第一連結具３１と、第二連結具３２と、長さ調節具１３と、補助ベルト１４とから構成される。ここで、リング１０１，１０１を有する胸ベルト１０と長さ調節具１３と補助ベルト１４は実施例１と共通である。
【００４１】
第一連結具３１と第二連結具３２は、それらを連結して人体の上半身を抱持するものであり、本実施例ではワンタッチバックルであるバックル本体３２２とタングプレート３１２を嵌合して連結する手法である。先ず、第二連結具３２は第二ベルト３２１とバックル本体３２２とから成り、第二ベルト３１１の一端にバックル本体３２２の端部を縫着し、第二ベルト３１１の他端を胸ベルト１０の中央から所定距離の位置に縫着する。次に、第一連結具３１は第一ベルト３１１とバックル本体３２２が係脱されるタングプレート３１２とから構成し、第一ベルト３１１の一端にタングプレート３１２を縫着し、第一ベルト３１１の他端は胸ベルト１０の中央から所定距離の位置であり、かつ第二ベルト３２１の縫着部と相対する位置に縫着する。ここで、胸ベルト１０に第一ベルト３１１と第二ベルト３２１とを縫着する位置は、胸ベルト１０の中央部分と、第一連結具３１と第二連結具３２との連結で人体の上半身を抱持できる位置である。
【００４２】
この第一連結具３１と第二連結具３２との連結は、バックル本体３２２にタングプレート３１２を差し込むことにより容易に行える。実施例１と同様に、山岳地の傾斜面等で被災者を介助しながらでも連結できる。また、かじかんだ手や分厚い手袋を履いていても連結が容易である。更に、第一連結具３１または第二連結具３２の少なくとも一方に、長さ調節具１３を設けることにより、片手で素早く上半身の締め付けが可能となる。
【００４３】
＜実施例２−２＞
以下、実施例２−１の変形例である実施例２−２について説明する。本発明の実施例２−２に係る被災者用装着バンドＢ２は、胸バンド部４と、足バンド部２と、カラビナ７とで構成される。ここで、足バンド部２とカラビナ７は実施例１と共通である。
【００４４】
図８（ａ）から（ｃ）は、本発明の実施例２−１の変形例である実施例２−２に係る胸バンド部４を示した正面図、底面図及び背面図である。これらの図に示すように、胸バンド部４は、両端にリング１０１，１０１を有する胸ベルト１０と、第一連結具４１と、第二連結具４２と、長さ調節具１３と、補助ベルト１４とから構成される。ここで、リング１０１，１０１を有する胸ベルト１０と長さ調節具１３と補助ベルト１４は実施例１と共通である。
【００４５】
第一連結具４１と第二連結具４２は、それらを連結して人体の上半身を抱持するものであり、本実施例は実施例２−１と同じくワンタッチバックルであるバックル本体３２２とタングプレート３１２を嵌合して連結する手法であり、実施例２−１のバックル本体３２２とタングプレート３１２とを入れ替えたものである。先ず、第一連結具４１は第一ベルト４１１とバックル本体３２２とから成り、第一ベルト４１１の一端にバックル本体３２２の端部を縫着し、第一ベルト４１１の他端を胸ベルト１０の中央から所定距離の位置に縫着する。次に、第二連結具４２は第二ベルト４２１とバックル本体３２２が係脱されるタングプレート３１２とから構成し、第二ベルト４２１の一端にタングプレート３１２を縫着し、第二ベルト４２１の他端は胸ベルト１０の中央から所定距離の位置であり、かつ第一ベルト４１１の縫着部と相対する位置に縫着する。ここで、胸ベルト１０に第一ベルト４１１と第二ベルト４２１とを縫着する位置は、胸ベルト１０の中央部分と、第一連結具４１と第二連結具４２との連結で人体の上半身を抱持できる位置である。
【実施例３】
【００４６】
以下、本発明の実施例３について説明する。上記実施例１及び上記実施例２と説明の重複する部分については同一の符号を付して説明を省略し、実施例１及び実施例２に対し、実施例３のうち差異を有する構造のみについて説明する。本発明の実施例３に係る被災者用装着バンドＣは、胸バンド部１と、足バンド部５と、カラビナ７とで構成される。ここで、胸バンド部１とカラビナ７は実施例１と共通である。
【００４７】
図９（ａ）から（ｃ）は、本発明の実施例３に係る足バンド部５を示した正面図、底面図及び要部拡大断面図である。これらの図に示すように、足バンド部５は、基端にリング２１１を備え、先端側に双方向に分離するように折り返して輪状を形成した第一大環部５１１と第二大環部５１２を設けた足ベルト５１と、スライド具５２とから構成される。
【００４８】
実施例１と同様に、足バンド部５は図９（ｂ）において上下対称であり、そのベルトの中央部を折り返し、当該折り返し部にリング２１１を挟んでベルト２枚を縫合し、次に各々の先端部を内側へそれぞれ折り返して第一大環部５１１と第二大環部５１２を形成し、スライド具５２を挿入した後、ベルト４枚を縫合（図面中央部参照）している。図６のように被災者を吊り上げるとき、この足ベルト５１（第一大環部５１１と第二大環部５１２）とリング２１１に足部の荷重が加わることとなるので、それらには、十分な強度と耐久性が要求される。また、第一大環部５１１と第二大環部５１２の大きさは、冬靴など大きな靴を履いた状態で装着ができる大きさであり、足バンド部５の長さは、人体を吊り上げたときに安定した姿勢になるよう、胸バンド部１との吊りしろ（吊り上げ時の余長長さ）を合わせた長さである。
【００４９】
図９（ｃ）に示すように、スライド具５２は、３ケの長孔を有する目の字状であり、折り返して輪状を形成した第一大環部５１１の外側のベルトをスライド具５２の第一長孔５２１に挿通し、内側のベルトを第二長孔５２２に挿通し、折り返して輪状を形成した第二大環部５１２の内側のベルトを第二長孔５２２に挿通し、外側のベルトを第三長孔５２３に挿通している。装着時は、スライド具５２で輪状部を小径に絞ることにより両足部を緊縛することができる。これによって、人体の両足が容易に仮固定でき、更に、足バンド部５の輪を大きくすることにより冬靴など大きな靴を履いた状態でも装着ができる。また、実施例１のスライド具２２は、足バンド部２を装着していないときに、２ケの大環部２１２，２１２より脱落する可能性が残る。一方、本実施例のスライド具５２は、第二大環部５１２の輪状部の中を挿通しているので、脱落することがない。
【実施例４】
【００５０】
以下、本発明の実施例４について説明する。上記実施例１から上記実施例３と説明の重複する部分については同一の符号を付して説明を省略し、実施例１から実施例３に対し、実施例４のうち差異を有する構造のみについて説明する。本発明の実施例４に係る被災者用装着バンドＤは、胸バンド部１と、足バンド部６と、カラビナ７とで構成される。ここで、胸バンド部１とカラビナ７は実施例１と共通である。
【００５１】
図１０（ａ）から（ｃ）は、本発明の実施例４に係る足バンド部６を示した正面図、底面図及び要部拡大断面図である。これらの図に示すように、足バンド部６は、基端にリング２１１を備え、先端側に双方向に分離するように折り返して輪状を形成した２ケの大環部６１２，６１２を設けた足ベルト６１と、２ケのスライド具６２，６２とから構成される。
【００５２】
足バンド部６は図１０（ｂ）において上下対称であり、足ベルト６１は、そのベルトの中央部を折り返し、当該折り返し部にリング２１１を挟んでベルト２枚を縫合し、次に各々の先端部を内側へそれぞれ折り返して２ケの大環部６１２，６１２を形成し、スライド具６２を挿入した後、ベルト４枚を縫合（図面中央部参照）している。図６のように被災者を吊り上げるとき、この足ベルト６１（２ケの大環部６１２，６１２）とリング６１１に足部の荷重が加わることとなるので、それらには、十分な強度と耐久性が要求される。また、２ケの大環部６１２，６１２の大きさは、冬靴など大きな靴を履いた状態で装着ができる大きさであり、足バンド部６の長さは、人体を吊り上げたときに安定した姿勢になるよう、胸バンド部１との吊りしろ（吊り上げ時の余長長さ）を合わせた長さである。
【００５３】
図１０（ｃ）に示すように、２ケのスライド具６２，６２は、それぞれが２ケの長孔６２１，６２１を有する日の字状であり、折り返して輪状を形成した一方の大環部６１２の２枚のベルトを２ケの長孔６２１，６２１にそれぞれ挿通し、他方の大環部６１２も同様に挿通する。装着時は、スライド具６２，６２でそれぞれの輪状部を小径に絞ることにより両足部を緊縛することができる。これによって、人体の両足が容易に仮固定でき、更に、足バンド部６の輪を大きくすることにより冬靴など大きな靴を履いた状態でも装着ができる。
【００５４】
また、実施例１のスライド具２２は、足バンド部２を装着していないときに、２ケの大環部２１２，２１２より脱落する可能性が残る。一方、本実施例のスライド具６２は、第二大環部６１２，６１２の輪状部の中を挿通しているので、脱落することがない。更に、本実施例の足バンド部６は、２ケのスライド具６２，６２が別体であり、人体の両足の緊縛が個々に行えるので、被災者が片足を負傷し応急処置を行って、左右の足の太さがアンバランスになったときでも、それぞれを緊縛できる。しかしながら、実施例１や実施例３に比べると、ベルトが滑り易いので、スライド具６２の長孔６２１に足ベルト６１を入れたときのクリアランスを、できる限り小さくすることが望ましい。また、スライド具６２を３ケ用いて、２ケの大環部６１２，６１２の内側のベルト２枚に挿通すれば滑り難くなり、更に望ましい。
【００５５】
＜スライド具の応用例＞
上記のようなスライド具の滑り防止として、各実施例のスライド具を複数連設したり（ダブルで設ける）、組み合わせて設ける手法もある。例えば、スライド具２２とスライド具５２を連設することにより、より強固に緊縛できる。
【００５６】
＜その他の実施例＞
以下、図示しないが、本発明のその他の実施例について説明する。本発明は、実施例１の胸バンド部１または実施例２の胸バンド部３或いは胸バンド部４と、実施例１の足バンド部２、実施例３の足バンド部５または実施例４の足バンド部６との組合せであるので、３×３＝９通りの組合せができる。ここでは、実施例１の被災者用装着バンドＡ、実施例２−１の被災者用装着バンドＢ１、実施例２−２の被災者用装着バンドＢ２、実施例３の被災者用装着バンドＣ及び実施例４の被災者用装着バンドＤと、５通りの実施例を説明したが、その他の組合せによる実施例も、実施例１から実施例４と同様の作用・効果を有する。
【００５７】
＜作用・効果の説明＞
本発明の被災者用装着バンドは、人体の上半身を保持する胸バンド部１（または３）と、人体の両足部を保持する足バンド部２（または５、６）とで構成し、ヘリによる吊り上げ専用とすることで、軽量・コンパクトなものとなり、山岳地帯への携行が容易となる。
胸バンド部１（または３）と、足バンド部２（または５、６）は、ベルトを主たる構成品とした細長状であるので、被災者が座った状態、あるいは少し持ち上げるのみで容易に装着が可能である。
足バンド部２（または５、６）は、その輪状部を大きくすることにより冬靴など大きな靴を履いた状態でも容易に装着ができる。
胸バンド部１の第一連結具１１及び第二連結具１２は、大きめの連結リングにフックを容易に掛止でき、胸バンド部３はワンタッチバックル式で容易に連結でき、更に、長さ調節具１３により片手で素早く上半身の締め付けが可能である。
足バンド部２（または５、６）のスライド具２２（または５２、６２）により、両足部の仮固定ができるので、人体固定の操作（被災者への装着）が確実・容易に行え、救助者一人でも装着が可能であり、救助時間の短縮ができる。
【００５８】
更に、吊り上げるときは、胸バンド部１（または３）の両端と足バンド部２（または５、６）の端部の３点で安定した３点吊りができるので、安定した状態で被災者を保持できる。
また、胸バンド部１（または３）の胸ベルト１０の色と、足バンド部２（または５、６）の足ベルト２１（または５１、６１）の色と、第一連結具１１（または３１）及び第二連結具１２（または３２）の色とが違っているので、それぞれを容易に識別できる。
また、本発明の被災者用装着バンドは、部品点数が少ないので、廉価での製作が可能となる。
【符号の説明】
【００５９】
Ａ、Ｂ１、Ｂ２、Ｃ、Ｄ  被災者用装着バンド
１    胸バンド部
１０  胸ベルト        １０１  リング
１１  第一連結具      １１１  第一ベルト      １１２  フック
１１ａ  固定端          １１ｂ  挿通端
１２  第二連結具      １２１  第二ベルト      １２２  連結リング
１３  長さ調節具      １３１  第一口字金具    １３２  第二口字金具
１４  補助ベルト
２    足バンド部
２１  足ベルト        ２１１  リング          ２１２  大環部
２２  スライド具      ２２１  長孔
３    胸バンド部
３１  第一連結具      ３１１  第一ベルト      ３１２  タングプレート
３２  第二連結具      ３２１  第二ベルト      ３２２  バックル本体
４    胸バンド部
４１  第一連結具      ４１１  第一ベルト
４２  第二連結具      ４２１  第二ベルト
５    足バンド部
５１  足ベルト        ５１１  第一大環部      ５１２  第二大環部
５２  スライド具      ５２１  第一長孔    ５２２  第二長孔    ５２３  第三長孔
６    足バンド部
６１２  大環部        ６２  スライド具        ６２１  長孔
７    カラビナ
【図１】
0005823916.tif 000002
【図２】
0005823916.tif 000003
【図３】
0005823916.tif 000004
【図４】
0005823916.tif 000005
【図５】
0005823916.tif 000006
【図６】
0005823916.tif 000007
【図７】
0005823916.tif 000008
【図８】
0005823916.tif 000009
【図９】
0005823916.tif 000010
【図１０】
0005823916.tif 000011